(57)【要約】【課題】  軽量で通気性を保ちやすく、背中のみならず肩や腕を含む広い範囲を覆う作業用日除けを提供することを目的とする。【解決手段】  遮光シェードＡ、Ｂを２枚重ねとして背中に担げ、その上部を鳩目４等で軸支し左右に広げて背中全面を覆うようにした。また前記遮光シェードＡ、Ｂが、略円形の弾性リング３にオレフィン系樹脂またはポリエステルなどから作られた黒色メッシュ１を裏側に、切れ目を設けたアルミ蒸着シート２を表側として２層に取り付けたものであり、また前記遮光シェードＡ、Ｂの下部に紐１１をそれぞれ取り付け、紐１１先端のクリップ１２を衣服に挟み付けて遮光シェードＡ、Ｂを広げた状態に保つことが出来るようにした。【選択図】  図４
2006083483.tif 000002
【特許請求の範囲】
【請求項１】
遮光シェードを２枚重ねとして背中に担げ、その上部を鳩目（４）等で軸支し左右に広げて背中全面を覆うようにした作業用日除け。
【請求項２】
前記遮光シェードが、略円形の弾性リング（３）にオレフィン系樹脂またはポリエステルなどから作られた黒色メッシュ（１）を裏側に、切れ目を設けたアルミ蒸着シート（２）を表側として２層に取り付けたものである請求項１記載の作業用日除け。
【請求項３】
２枚重ねとした前記遮光シェードが背中に密着しないように遮光シェードと背中との間にやや厚みのあるメッシュ地の背当て（５）を設け、その上縁に取り付けたバンド（６）の先端を前記鳩目（４）にくぐらせて背当て（５）に縫い付けることにより遮光シェードを背当て（５）に固定するようにした請求項１記載の作業用日除け。
【請求項４】
前記遮光シェードの下部に紐（１１）をそれぞれ取り付け、紐（１１）先端のクリップ（１２）を衣服に挟み付け、遮光シェードを広げた状態に保つことが出来るようにした請求項１記載の作業用日除け。
【発明の詳細な説明】
【技術分野】
【０００１】
この発明は、日向での作業、レジャーに用いられる装着型の作業用日除けであって、特に身体的負担を軽減する為に背中を覆う遮光シェードに関する。  
【背景技術】
【０００２】
旧来、蓑のように茅や藁、竹等を編んだものを背中に担いで太陽の日差しを防いでいた。かかる自然素材を用いたものとして特許文献１は、へちま繊維を編んだものを開示する。
【０００３】
また近年、ポリエチレンまたはポリプロピレン等のオレフィン系樹脂からなる延伸フィルムをメッシュ上に編んだり、延伸させたシート状のものに切り目をつけた農業用に用いられる遮光ネットが特許文献２、３に開示されており、またかかる遮光ネットで背中を覆い作業用日除けとするショルダー型または外套型のものが特許文献４、５に開示されている。
【特許文献１】登録実用３０６８２０９号公報
【特許文献２】特開平９―３２２６６３号公報
【特許文献３】特開２０００―３２８５６号公報
【特許文献４】登録実用３０７４９６１号公報
【特許文献５】特開２００２―８８５２７号公報
【発明の開示】
【発明が解決しようとする課題】
【０００４】
しかしながら、従来の自然素材のものは、なかなか材料が手に入らないうえ、重い、嵩張る等の問題があり、軽量な樹脂メッシュを用いた特許文献４のような背負い型、特許文献５のようなジャケット式着用型の場合も、背中以外の肩や腕などの広範囲の遮光を充分に行うことが出来なかった。本発明は軽量で通気性を保ちやすく、背中のみならず肩や腕を含む広い範囲を覆う作業用日除けを提供することを目的とする。
【課題を解決するための手段】
【０００５】
そして本発明は上記課題を解決するために為されたものであって、請求項１記載のように、  遮光シェードＡ、Ｂを２枚重ねとして背中に担げ、その上部を鳩目４等で軸支し左右に広げて背中全面を覆うようにしたことを特徴とする作業用日除けである。
【０００６】
また請求項２記載のように、前記遮光シェードＡ、Ｂが、略円形の弾性リング３にオレフィン系樹脂またはポリエステルなどから作られた黒色メッシュ１を裏側に、切れ目を設けたアルミ蒸着シート２を表側として２層に取り付けたものであることを特徴とする。
【０００７】
また請求項３記載のように、２枚重ねとした前記遮光シェードＡ、Ｂが背中に密着しないように遮光シェードと背中との間にやや厚みのあるメッシュ地の背当て５を設け、その上縁に取り付けたバンド６の先端を前記鳩目４にくぐらせて背当て５に縫い付けることにより遮光シェードＡ、Ｂを背当て５に固定するようにした。
【０００８】
さらに請求項４記載のように、前記遮光シェードＡ、Ｂの下部に紐１１をそれぞれ取り付け、紐１１先端のクリップ１２を衣服に挟み付け、遮光シェードＡ、Ｂを広げた状態に保つことが出来るようにしたことを特徴とする作業用日除けである。
【発明の効果】
【０００９】
遮光シェードＡ、Ｂを軽量な素材で形成したので軽便に持ち運びが出来、装着した時も身体に負担が掛からず日向での作業がしやすくなる。また２枚重ねとしその上部を軸支したので収納時は折畳めて場所を取らず、使用時は広げて肩幅のみならず腕まで広げて覆うことが出来る。
【００１０】
また前記遮光シェードＡ、Ｂがオレフィン系樹脂またはポリエステルなどから作られた黒色メッシュ１と、切れ目を設けアルミ蒸着をほどこしたアルミ蒸着シート２との２層状とし、アルミ蒸着シート２を表側としたたものであるので遮光性が高く、通気性があり軽いので作業性が良い。
【発明を実施するための最良の形態】
【００１１】
黒色メッシュと、切込みを入れたアルミ蒸着シートとを２層状とした遮光シェードＡ、Ｂを２枚重ねとして背中に担げ、左右に広げて背中全面を覆うようにする。
【実施例１】
【００１２】
本発明の背中に担げる遮光シェードＡ、Ｂは、図１及び図２に示すように、略円形または楕円形の弾性リング３にオレフィン系樹脂またはポリエステルなどから作られた黒色メッシュ１を裏側に、特定の配置で切れ目を設けた透明なオレフィン系樹脂シートにアルミ蒸着をほどこしたアルミ蒸着シート２とを表側に２層状に取り付けたものである。そしてアルミ蒸着シート２を表側とした遮光シェードＡ、Ｂを２枚重ねとし、その上部を鳩目４などで軸支し左右に開けるようにした。
【００１３】
さらに遮光シェードＡ、Ｂが背中に密着しないように遮光シェードＡ、Ｂと背中との間にやや厚みのあるメッシュ地の背当て５を設け、この背当て５の上縁に取り付けたバンド６の先端を前記鳩目４にくぐらせて背当て５に縫い付けることにより遮光シェードＡを背当て５に固定するようにした。またこの位置に２本の肩バンド７の先端を重ねて縫い付け、他方側を背当て５の両側方に設けたリング８に各挿通するようにした。さらに腰バンド９の一方端を背当て５に縫い付け、他方側にバックル１０を取り付けた。また身体装着時に遮光シェードＡが鳩目４の軸支位置を中心として左右に容易に開けるように遮光シェードＡ、Ｂの下部に紐１１をそれぞれ取り付け、紐１１先端のクリップ１２を衣服に挟み付けることにより遮光シェードＡ、Ｂを広げた状態に保つことが出来るようにした。
【００１４】
そして使用するときは、肩バンド７を両腕に通し、メッシュ地の背当て５を介して２枚の遮光シェードＡ、Ｂを背中に担ぎ、腰バンド９を腰に回してバックル１０で止めるようにする。そして遮光シェードＡ、Ｂの下部に設けた紐１１を引いて遮光シェードＡ、Ｂを広げ、紐１１先端のクリップ１２を衣服に挟み付けることにより遮光シェードＡ、Ｂが背中幅より広がった状態で保持することが出来て従来のものより日除け効果を増大する。
【図面の簡単な説明】
【００１５】
【図１】本発明、遮光シェードの正面図である。
【図２】図１の背面図である。
【図３】図１の上部断面図である。
【図４】遮光シェードを身体に装着し、広げた状態図である。
【符号の説明】
【００１６】
Ａ、Ｂ  遮光シェード
１  黒色メッシュ
２  アルミ蒸着シート
３  弾性リング
４  鳩目
５  背当て
６  バンド
７  肩バンド
８  リング
９  腰バンド
１０  バックル
１１  紐
１２  クリップ
【図１】
2006083483.tif 000003
【図２】
2006083483.tif 000004
【図３】
2006083483.tif 000005
【図４】
2006083483.tif 000006